(57)【要約】【課題】プルダウン映像を滑らかにスロー再生できるようにする。【解決手段】１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるよう、第１の映像信号の１フレームから生成された２フィールドの映像信号と第１の映像信号の１フレームから生成された３フィールドの映像信号の周期的な繰り返しに変換し、その変換された２フィールドおよび３フィールドの繰り返しからなる映像信号をピクチャデータとして符号化して記録した記録媒体を再生する映像再生装置であって、Ｋ分の１倍速（Ｋは整数）のスロー再生時に、ピクチャデータを、（５×Ｋ）／２フィールドと（５×Ｋ＋１）／２フィールド（小数点以下切捨て）の周期的な繰り返しとして再生する。【選択図】      図３
2006319645.tif 000002
【特許請求の範囲】
【請求項１】
１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるように、第１の映像信号の１フレームから生成された２フィールドの映像信号と第１の映像信号の１フレームから生成された３フィールドの映像信号の周期的な繰り返しに変換し、該変換された２フィールドの映像信号および３フィールドの映像信号の繰り返しからなる映像信号列を記録媒体から再生する映像再生装置であって、
前記映像信号列を再生する再生手段と、
前記再生手段により再生された映像信号列に含まれる映像信号を再生速度に応じて出力する出力手段と、
Ｋ分の１倍速（Ｋは整数）のスロー再生時に、前記変換された２フィールドの映像信号を、（５×Ｋ）／２フィールド（小数点以下は切り捨て）分、又は（５×Ｋ＋１）／２フィールド（小数点以下は切捨て）分繰り返して出力する動作と、前記変換された３フィールドの映像信号を、（５×Ｋ＋１）／２フィールド（小数点以下は切捨て）分、又は（５×Ｋ）／２フィールド（小数点以下は切り捨て）分繰り返して出力する動作とを繰り返すように前記出力手段を制御する制御手段と、
を具備することを特徴とする映像再生装置。
【請求項２】
前記変換された映像信号が、２フィールドから成るか、３フィールドから成るかを検出する検出手段をさらに具備することを特徴とする請求項１に記載の映像再生装置。
【請求項３】
前記変換された２フィールドの映像信号を（５×Ｋ）／２フィールド（小数点以下は切り捨て）分出力し、前記変換された３フィールドの映像信号を（５×Ｋ＋１）／２フィールド（小数点以下は切り捨て）分出力することを特徴とする請求項１に記載の映像再生装置。
【請求項４】
前記変換された２フィールドの映像信号を（５×Ｋ＋１）／２フィールド（小数点以下は切り捨て）分出力し、前記変換された３フィールドの映像信号を（５×Ｋ）／２フィールド（小数点以下は切り捨て）分出力することを特徴とする請求項１に記載の映像再生装置。
【請求項５】
前記変換された２フィールドの映像信号を（５×Ｋ）／２（小数点以下は切り捨て）または（５×Ｋ＋１）／２（小数点以下は切り捨て）のうちの偶数であるフィールド数分出力し、前記変換された３フィールドの映像信号を（５×Ｋ）／２（小数点以下は切り捨て）または（５×Ｋ＋１）／２（小数点以下は切り捨て）のうちの奇数であるフィールド数分出力することを特徴とする請求項１に記載の映像再生装置。
【請求項６】
前記制御手段は、通常再生モードにおいては前記再生された映像信号列に含まれる映像信号の各フィールドをそれぞれ１回づつ出力するよう前記出力手段を制御することを特徴とする請求項１記載の映像再生装置。
【請求項７】
前記映像信号は、画面内符号化方式と画面内符号化方式とをフレーム毎に選択的に用いて符号化されており、前記記録媒体から再生された映像信号を復号して前記出力手段に出力する復号手段を備えたことを特徴とする請求項１記載の映像再生装置。
【請求項８】
１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるように、第１の映像信号の１フレームから生成された２フィールドの映像信号と第１の映像信号の１フレームから生成された３フィールドの映像信号の周期的な繰り返しに変換し、該変換された２フィールドの映像信号および３フィールドの映像信号の繰り返しからなる映像信号列を記録媒体から再生する映像再生方法であって、
前記映像信号列を再生する再生工程と、
前記再生工程において再生された映像信号列に含まれる映像信号を再生速度に応じて出力する出力工程とを具備し、
前記出力工程では、Ｋ分の１倍速（Ｋは整数）のスロー再生時に、前記変換された２フィールドの映像信号を、（５×Ｋ）／２フィールド（小数点以下は切り捨て）分、又は（５×Ｋ＋１）／２フィールド（小数点以下は切捨て）分繰り返して出力する動作と、前記変換された３フィールドの映像信号を、（５×Ｋ＋１）／２フィールド（小数点以下は切捨て）分、又は（５×Ｋ）／２フィールド（小数点以下は切り捨て）分繰り返して出力する動作とを繰り返すことを特徴とする映像再生方法。
【請求項９】
前記変換された映像信号が、２フィールドから成るか、３フィールドから成るかを検出する検出工程をさらに具備することを特徴とする請求項８に記載の映像再生方法。
【請求項１０】
前記出力工程では、前記変換された２フィールドの映像信号を（５×Ｋ）／２フィールド（小数点以下は切り捨て）分出力し、前記変換された３フィールドの映像信号を（５×Ｋ＋１）／２フィールド（小数点以下は切り捨て）分出力することを特徴とする請求項８に記載の映像再生方法。
【請求項１１】
前記出力工程では、前記変換された２フィールドの映像信号を（５×Ｋ＋１）／２フィールド（小数点以下は切り捨て）分出力し、前記変換された３フィールドの映像信号を（５×Ｋ）／２フィールド（小数点以下は切り捨て）分出力することを特徴とする請求項８に記載の映像再生方法。
【請求項１２】
前記出力工程では、前記変換された２フィールドの映像信号を（５×Ｋ）／２（小数点以下は切り捨て）または（５×Ｋ＋１）／２（小数点以下は切り捨て）のうちの偶数であるフィールド数分出力し、前記変換された３フィールドの映像信号を（５×Ｋ）／２（小数点以下は切り捨て）または（５×Ｋ＋１）／２（小数点以下は切り捨て）のうちの奇数であるフィールド数分出力することを特徴とする請求項８に記載の映像再生方法。
【請求項１３】
前記出力工程では、通常再生モードにおいては前記再生された映像信号列に含まれる映像信号の各フィールドをそれぞれ１回づつ出力することを特徴とする請求項８に記載の映像再生方法。
【請求項１４】
前記映像信号は、画面内符号化方式と画面内符号化方式とをフレーム毎に選択的に用いて符号化されており、前記記録媒体から再生された映像信号を復号して出力する復号工程を備えたことを特徴とする請求項８記載の映像再生方法。
【請求項１５】
請求項８乃至１４のいずれか１項に記載の映像再生方法をコンピュータに実行させることを特徴とするプログラム。
【請求項１６】
請求項１５に記載のプログラムをコンピュータ読み取り可能に記憶したことを特徴とする記憶媒体。
【発明の詳細な説明】
【技術分野】
【０００１】
本発明は、映像信号の記録再生技術に関するものである。
【背景技術】
【０００２】
近年、デジタル信号処理技術の進歩により、動画像や静止画像、音声等、大量のデジタル情報を高能率符号化し、小型磁気媒体、小型光媒体に記録を行なったり、通信媒体で伝送を行ったりすることが可能となっている。このような技術を応用し、容易に高品位な映像を撮影して即座に情報媒体へ出力できる撮像装置などの開発が行われている。
【０００３】
特に、昨今の動画像の符号化には、ＭＰＥＧ符号化技術が使われている。ＭＰＥＧ符号化は画面内の相関を用いて符号化するフレーム内符号化方式と、前後の画面間の相関を用いて符号化するフレーム間符号化方式とを使い、大幅に符号レートを削減することができるため、ＤＶＤに代表される映像再生装置や、ビデオカメラなどの撮像装置に広く用いられている。
【０００４】
ところで、日本や米国などのテレビ規格では、フレームレートが毎秒約３０フレームであるが、映画で用いるフィルム素材の映像のフレームレートは毎秒約２４フレームであるのが一般的である。そのため、１秒あたり２４フレームの映像を１秒あたり３０フレームに変換し、フィルム素材映像とテレビ映像の互換性を高めてＭＰＥＧ符号化する技術が知られている（例えば、特許文献１参照）。
【０００５】
この変換は２−３プルダウンと一般によばれる方式で、映画などのフィルム素材をテレビ向けの映像に変換する時に多用されている。
【０００６】
図４は２−３プルダウン処理を説明する図である。
【０００７】
９０１〜９１０は１秒あたり約２４フレームの映像のフィールド列である。このフィールド列を１秒あたり約３０フレームに変換したフィールド列が９１１〜９２２である。フィールド９０１，９０２をフィールド９１１，９１２に、フィールド９０３，９０４をフィールド９１３，９１４，９１５に、というように入力映像の２フィールドずつを、出力映像の２フィールドと３フィールドの繰り返しになるように変換してゆく。この繰り返しにより入力映像の４フィールド毎に５フィールドの出力映像が生成され、２４フレーム毎秒から３０フレーム毎秒への変換を実現する。この時、３フィールドに変換された際の１番目と３番目のフィールドは同一のデータである。例えば、フィールド９１３と９１５はともにフィールド９０３をもとにしている。同様にフィールド９１８と９２０も同一のデータである。
【０００８】
この様に２−３プルダウンした映像データをＭＰＥＧ方式で符号化する際、冗長性を取り除くため、top_field_first、repeat_first_fieldというパラメータが用いられる。パラメータrepeat_first_fieldが０の場合２フィールド構成を示し、１の場合３フィールド構成を示す。前述のように３フィールド構成の場合、１番目と３番目のフィールドは同一なので、３番目のフィールドについては画像データを生成しない。一方、パラメータtop_field_firstは、トップ、ボトムいずれのフィールドが時間的に先であるかを示し、０の場合ボトムフィールドが先、１の場合トップフィールドが先である。 
【特許文献１】特開平６−３０３３２号公報
【発明の開示】
【発明が解決しようとする課題】
【０００９】
この様に２−３プルダウン処理によって生成した映像データをＭＰＥＧ符号化して記録媒体に記録し、記録されたＭＰＥＧ符号化データを再生する場合、通常再生時には、図４の９１１〜９２２の如く復号化された映像データが出力される。
【００１０】
一方、同様にＭＰＥＧ符号化されたデータを３分の１倍速でスロー再生する場合を考える。
【００１１】
この場合、一つの方法として、図５の様に、再生された２−３プルダウン画像のデータにおける同一フレームの２フィールドをそれぞれ３回づつ繰り返し出力することが考えられる。
【００１２】
この場合、図５の再生期間５０１、５０２については原画像において同一フレームであった２フィールドの画像を繰り返し表示しているが、再生期間５０３においては、原画像において異なるフレームであった二つのフィールドを繰り返し表示しているため、滑らかな再生画像が得られない。
【００１３】
また、他の方法として、図６に示すように、２−３プルダウン画像において、原画像で同一のフレームであった２フィールド、あるいは、３フィールドの画像をそれぞれ３回づつ繰り返す方法も考えられる。
【００１４】
すなわち、２フィールドとして符号化された画面を３倍の６フィールド期間出力し、同様に３フィールドとして符号化された画面を９フィールド期間出力する。
【００１５】
この場合にも、本来、等間隔に更新されるべき再生画像が、６対９という極端に偏った間隔となり、滑らかなスロー再生ができなかった。
【００１６】
したがって、本発明は上述した課題に鑑みてなされたものであり、その目的は、プルダウン映像を滑らかにスロー再生できるようにすることである。
【課題を解決するための手段】
【００１７】
上述した課題を解決し、目的を達成するために、本発明に係わる映像再生装置は、１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるように、第１の映像信号の１フレームから生成された２フィールドの映像信号と第１の映像信号の１フレームから生成された３フィールドの映像信号の周期的な繰り返しに変換し、該変換された２フィールドの映像信号および３フィールドの映像信号の繰り返しからなる映像信号列を記録媒体から再生する映像再生装置であって、前記映像信号列を再生する再生手段と、前記再生手段により再生された映像信号列に含まれる映像信号を再生速度に応じて出力する出力手段と、Ｋ分の１倍速（Ｋは整数）のスロー再生時に、前記変換された２フィールドの映像信号を、（５×Ｋ）／２フィールド（小数点以下は切り捨て）分、又は（５×Ｋ＋１）／２フィールド（小数点以下は切捨て）分繰り返して出力する動作と、前記変換された３フィールドの映像信号を、（５×Ｋ＋１）／２フィールド（小数点以下は切捨て）分、又は（５×Ｋ）／２フィールド（小数点以下は切り捨て）分繰り返して出力する動作とを繰り返すように前記出力手段を制御する制御手段と、
を具備することを特徴とする。
【００１８】
また、本発明に係わる映像再生方法は、１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるように、第１の映像信号の１フレームから生成された２フィールドの映像信号と第１の映像信号の１フレームから生成された３フィールドの映像信号の周期的な繰り返しに変換し、該変換された２フィールドの映像信号および３フィールドの映像信号の繰り返しからなる映像信号列を記録媒体から再生する映像再生方法であって、前記映像信号列を再生する再生工程と、前記再生工程において再生された映像信号列に含まれる映像信号を再生速度に応じて出力する出力工程とを具備し、前記出力工程では、Ｋ分の１倍速（Ｋは整数）のスロー再生時に、前記変換された２フィールドの映像信号を、（５×Ｋ）／２フィールド（小数点以下は切り捨て）分、又は（５×Ｋ＋１）／２フィールド（小数点以下は切捨て）分繰り返して出力する動作と、前記変換された３フィールドの映像信号を、（５×Ｋ＋１）／２フィールド（小数点以下は切捨て）分、又は（５×Ｋ）／２フィールド（小数点以下は切り捨て）分繰り返して出力する動作とを繰り返すことを特徴とする。
【００１９】
また、本発明に係わるプログラムは、上記の映像再生方法をコンピュータに実行させることを特徴とする。
【００２０】
また、本発明に係わる記憶媒体は、上記のプログラムをコンピュータ読み取り可能に記憶したことを特徴とする。
【発明の効果】
【００２１】
本発明によれば、プルダウン映像を滑らかにスロー再生することが可能となる。
【発明を実施するための最良の形態】
【００２２】
以下、本発明の好適な一実施形態について図面を参照して説明する。
【００２３】
図１は本発明の一実施形態に係る映像記録再生装置の構成を示す図であり、図１（ａ）は記録系の構成を示し、図１（ｂ）は再生系の構成を示している。
【００２４】
まず、図１（ａ）の記録系について説明する。
【００２５】
図１（ａ）において、１０１は映像信号入力端子、１０２は符号化部、１０３は記録部、１０６は記録媒体である。また、符号化部１０２は、２−３プルダウン部１０４とＭＰＥＧ部１０５とを備えて構成される。
【００２６】
映像信号入力端子１０１から入力される、１秒あたり約２４フレーム（４８フィールド）のフレームレートを有する映像信号は符号化部１０２に供給される。符号化部１０２は、入力された１秒あたり約２４フレームのフレームレートの映像データを、２−３プルダウン部１０４によって１秒あたり約３０フレーム（６０フィールド）のフレームレートの映像データに変換する。
【００２７】
このようにレート変換された映像信号は、２−３プルダウン部１０４からＭＰＥＧ部１０５に供給される。ＭＰＥＧ部１０５は、公知のＭＰＥＧ方式に従い映像信号を符号化し、記録部１０３に供給する。この様に２−３プルダウンした映像データをＭＰＥＧ方式で符号化する際、前述の様に、top_field_first、repeat_first_fieldというパラメータを用いる。記録部１０３は符号化されたデータを記録媒体１０６に記録する。
【００２８】
次に、再生系について説明する。
【００２９】
図１（ｂ）において、１０７は記録媒体１０６より符号化データを再生する再生部、１０８は再生データを復号化する復号化部、１０９は再生データを復号して出力するＭＰＥＧ部、１１０はＭＰＥＧ部からの映像データ及び、７フィールド繰り返し部１１１、８フィールド繰り返し部１１２からの映像データを切り替えて出力するスイッチ、１１１はＭＰＥＧ部１０９から出力された２−３プルダウン画像データのうち、原画像において同一フレームであった２フィールドの画像データを検出し、７フィールド分繰り返して出力する７フィールド繰り返し部、１１２はＭＰＥＧ部１０９から出力された２−３プルダウン画像データのうち、原画像において同一フレームであった３フィールドの画像データを検出し、８フィールド分繰り返して出力する８フィールド繰り返し部、１１３は操作スイッチ１１４によりスロー再生の指示があったときに、再生部１０７からのＭＰＥＧデータより、前述の２フィールドの画像と３フィールドの画像を検出してスイッチ１１０を切り替えると共に、通常再生時にはＭＰＥＧ部１０９からの２−３プルダウン画像データを選択して出力するようスイッチ１１０を切り替えるプルダウン検出部である。
【００３０】
記録媒体１０６に記録されているＭＰＥＧデータは再生部１０７によって読み出され、復号化部１０８へ供給される。復号化部１０８は、供給されるＭＰＥＧデータをＭＰＥＧ部１０９によって復号化し、スイッチ１１０に出力する。通常再生時においては、スイッチ１１０はＭＰＥＧ部１０９からの画像データを選択して出力する。
【００３１】
次に、再生時の処理について、図２のフローチャートに従って説明する。なお、本実施形対では、スロー再生時において通常再生時の１／３倍速で画像を再生するものとする。
【００３２】
ステップＳ１では、記録媒体１０６に格納されているＭＰＥＧデータを再生部１０７に読み出す。
【００３３】
ステップＳ２では、読み出されたＭＰＥＧデータを復号化部１０８によって復号化する。
【００３４】
ステップＳ３では、再生モードが通常再生かスロー再生かを判定し、通常再生の場合はステップＳ８へ、スロー再生の場合はステップＳ４へ分岐する。
【００３５】
ステップＳ４では、２−３プルダウン検出部１１３により、再生映像のプルダウン検出を行う。すなわち、前述のrepeat_first_fieldによって、２−３プルダウン映像の２フィールドのピクチャなのか３フィールドのピクチャなのかを判定する。
【００３６】
ステップＳ５では、ステップＳ４による判定が２フィールドならばステップＳ６へ、３フィールドならばステップＳ７へ分岐する。
【００３７】
ステップＳ６では、７フィールド繰り返し部１１１により、映像信号を７フィールド期間繰り返す。
【００３８】
ステップＳ７では、８フィールド繰り返し部１１２により、映像信号を８フィールド期間繰り返す。
【００３９】
ステップＳ８では、スイッチ１１０を切り替えて、７フィールド繰り返し部１１１の出力映像と８フィールド繰り返し部１１２の出力映像信号を切り替えて出力する。また、ステップＳ３において通常再生と判断されてステップＳ８に進んだ場合は、ステップＳ８では、２−３プルダウン画像データの各フィールドを１回ずつ出力し、通常再生を実行する。
【００４０】
これらのステップをピクチャ毎に繰り返すことで、記録媒体のＭＰＥＧ符号化データを映像信号へ再生できる。なお、上記ステップＳ３およびステップＳ５の分岐は、図１（ｂ）のブロック図におけるスイッチ１１０によって実現される。
【００４１】
以上の処理により、通常再生時は従来装置と同様の映像出力が得られ、３分の１倍速スロー再生時は、２フィールドのピクチャを７フィールド期間、３フィールドのピクチャを８フィールド期間繰り返すスロー映像信号が得られる。
【００４２】
図３に３分の１倍スロー再生の例を示す。１／３倍速の場合、２フィールドのデータと３フィールドのデータの合計５フィールド分のデータを５×３の１５フィールド期間で表示（再生）すればよい。
【００４３】
そこで、本実施形態では、２フィールド＋３フィールド＝５フィールドの連続を７フィールド＋８フィールド＝１５フィールドへと変換し、３分の１（１５分の５）倍速の再生を実現している。図６に示すように、２フィールドデータと３フィールドデータをそれぞれ一律に３倍の期間繰り返した場合には、６フィールドと９フィールドという偏った組み合わせ（フィールド数差が３）に変換されてしまうのに対し、本実施形態では、フィールド数差が１と極めて小さい組み合わせに変換している。そのため、なめらかなスロー再生画像を得ることができる。
【００４４】
本実施形態の構成では、２フィールドのピクチャを７フィールド、３フィールドのピクチャを８フィールド繰り返すものとしたが、反対に、２フィールドを８フィールドに、３フィールドを７フィールドに変換しても、まったく同じ効果が得られる。むしろこの変換によると、もともと偶数枚フィールドであるピクチャを同じく偶数枚フィールド（２→８）、奇数枚フィールドを同じく奇数枚フィールド（３→７）に変換するため、フィールドの位相が維持でき、編集等の操作を容易に行えるという効果がある。
【００４５】
また、本実施形態では、３分の１倍速スロー再生に対して７フィールドと８フィールドの組み合わせを用いたが、Ｋ分の１倍速スロー再生（Ｋは任意の整数）に対しても同様に対応することができる。すなわち、２フィールド（又は３フィールド）のピクチャを繰り返し再生するフィールド数をＡ、３フィールド（又は２フィールド）のピクチャを繰り返し再生するフィールド数をＢとすると、以下のように一般化できる。
【００４６】
フィールド数Ａ：（５Ｋ）／２
フィールド数Ｂ：（５Ｋ＋１）／２
（除算はいずれも小数点以下切り捨て）
すなわち、５分の１倍速スロー（Ｋ＝５）の場合は、
フィールド数Ａ：１２
フィールド数Ｂ：１３
となり、４分の１倍速スロー（Ｋ＝４）の場合は、
フィールド数Ａ：１０
フィールド数Ｂ：１０
となる。
【００４７】
なお、上記の実施形態では、１秒あたり２４フレームのフレームレートを有する映像信号を１秒あたり３０フレームのフレームレートを有する映像信号に変換する場合について説明したが、本発明は、１秒あたり２４フレーム以外のフレームレートを有する映像信号を１秒あたり３０フレーム以外のフレームレートを有する映像信号に変換する場合にも適用可能である。
【００４８】
また、 上記の実施形態では、 再生装置について説明したが、被写体を撮影して記録再生する撮像装置や、同様な処理を行う処理方法、同様な処理工程を含む、 コンピュータで読み込み可能なプログラムを格納した記憶媒体もまた本発明の範疇である。
【００４９】
以上説明したように、本実施形態の映像再生装置は、１秒あたりＭフレーム（Ｍは整数）のフレームレートを有する第１の映像信号を、１秒あたりＮフレーム（ＮはＮ＞Ｍを満たす整数）のフレームレートを有する第２の映像信号となるよう、第１の映像信号の１フレームから生成された２フィールドの映像信号と第１の映像信号の１フレームから生成された３フィールドの映像信号の周期的な繰り返しに変換し、該変換された２フィールドおよび３フィールドの繰り返しからなる映像信号をピクチャデータとして符号化して記録した記録媒体を再生する映像再生装置であって、Ｋ分の１倍速（Ｋは整数）のスロー再生時に、前記ピクチャデータを、（５×Ｋ）／２フィールドと（５×Ｋ＋１）／２フィールド（小数点以下切捨て）の周期的な繰り返しとして再生する構成とした。
【００５０】
このような構成では、 ２フィールドのピクチャと３フィールドのピクチャの繰り返しから成るＭＰＥＧ符号を、たとえば、７フィールドと８フィールドの周期的な連続として再生できるため、フィールド数の偏りが極めて少ない、滑らかなスロー再生を可能とすることができる。
【００５１】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５３】
本発明を上記記憶媒体に適用する場合、その記憶媒体には、先に説明した手順に対応するプログラムコードが格納されることになる。
【図面の簡単な説明】
【００５４】
【図１】本発明の一実施形態に係わる映像記録再生装置の構成を示す図である。
【図２】一実施形態における処理の流れを示すフローチャートである。
【図３】一実施形態における動作例を示す図である。
【図４】２−３プルダウン処理の例を示す図である。
【図５】従来のスロー再生における出力画像の例を示す図である
【図６】従来のスロー再生における出力画像の他の例を示す図である。
【符号の説明】
【００５５】
１０１  映像信号入力端子
１０２  符号化部
１０３  記録部
１０４  ２−３プルダウン部
１０５  ＭＰＥＧ部
１０６  記録媒体
１０７  再生部
１０８  復号化部
１０９  ＭＰＥＧ部
１１０  スイッチ
１１１  ７フィールド繰り返し部
１１２  ８フィールド繰り返し部
【図１】
2006319645.tif 000003
【図２】
2006319645.tif 000004
【図３】
2006319645.tif 000005
【図４】
2006319645.tif 000006
【図５】
2006319645.tif 000007
【図６】
2006319645.tif 000008